(57)【要約】【課題】ノズルヘッド部とノズルロッド部をノズルカバーで覆い、コンパクトで清潔性の向上をはかったトイレ装置を提供することを目的とする。【解決手段】ノズルヘッド部１６を、ノズルロッド部１４と接合する接合側面１９と吐水穴１５とを除いて外周面を第１のノズルカバー２０で覆い、ノズルロッド部１４およびノズルロッド部１４とノズルヘッド部１６との接合側面１９を第２のノズルカバー２１で覆ったものであり、ノズルヘッド部１６やノズルロッド部１４の外周とノズルカバー２０、２１との隙間をなくし、コンパクトで清潔性の向上をはかることができる。【選択図】  図４
2004316150.tif 000002
【特許請求の範囲】
【請求項１】
洗浄水を噴出する吐水穴を有したノズルヘッド部と、前記ノズルヘッド部への水路を構成し待機位置と使用位置間で移動可能なノズルロッド部とを有する洗浄手段を備え、前記ノズルヘッド部は、前記ノズルロッド部と接合する接合側面と前記吐水穴とを除いて外周面を第１のノズルカバーで覆い、前記ノズルロッド部およびノズルロッド部とノズルヘッド部との接合側面を第２のノズルカバーで覆ったトイレ装置。
【請求項２】
第１のノズルカバーと第２のノズルカバーを金属で形成してなる請求項１に記載のトイレ装置。
【請求項３】
第１のノズルカバーと第２のノズルカバーをステンレスで形成してなる請求項２に記載のトイレ装置。
【請求項４】
第１のノズルカバーと第２のノズルカバーの外表面をフッ素コーティングしてなる請求項１〜３のいずれか１項に記載のトイレ装置。
【請求項５】
第２のノズルカバーには、ノズルロッド部とノズルヘッド部との接合側面を覆うフランジ部を設け、前記フランジ部をノズルヘッド部の接合側面と接してなる請求項１〜４のいずれか１項に記載のトイレ装置。
【請求項６】
第１のノズルカバーの開口端部を、ノズルヘッド部の接合側面側に折り返してなる請求項１〜５のいずれか１項に記載のトイレ装置。
【発明の詳細な説明】
【０００１】
【発明の属する技術分野】
本発明は、用便後等に人体の局部を洗う洗浄手段を備えたトイレ装置に関するものである。
【０００２】
【従来の技術】
従来、この種のトイレ装置としては、洗浄手段に汚れが付着するのを防止するためにノズルカバーを備えているものがあった（例えば、特許文献１参照）。
【０００３】
これは、図６に示すように、人体の局部を洗う洗浄手段として、洗浄水を噴出する吐水穴１を有したノズルヘッド部２と、ノズルヘッド部２への水路を構成し待機位置と使用位置間で移動可能なノズルロッド部３とを備えている。そして、ノズルヘッド部２とノズルロッド部３の外周を同時に覆って、吐水穴１と対応するカバー穴４を設けたノズルカバー５を施している。これにより、ノズルロッド部１とノズルヘッド部２との外表面の段差、溝、隙間に汚れが付着するのを防止している。
【０００４】
【特許文献１】
特開２００１−１３２０５６号公報
【０００５】
【発明が解決しようとする課題】
しかしながら、前記従来の構成では、ノズルヘッド部２の断面がノズルロッド部３の断面より大きな場合、ノズルカバー５の断面が大きくなり、大きなスペースを必要とし、また、ノズルロッド部３の外周とノズルカバー５の内壁との間に大きな隙間が生じ、その部分に汚水が溜まり好ましくなかった。
【０００６】
本発明は、前記従来の課題を解決するもので、ノズルヘッド部やノズルロッド部の外周とノズルカバーとの隙間をなくし、コンパクトで清潔性の向上をはかったトイレ装置を提供することを目的とする。
【０００７】
【課題を解決するための手段】
前記従来の課題を解決するために、本発明のトイレ装置は、ノズルヘッド部は、ノズルロッド部と接合する接合側面と吐水穴とを除いて外周面を第１のノズルカバーで覆い、ノズルロッド部およびノズルロッド部とノズルヘッド部との接合側面を第２のノズルカバーで覆ったものである。
【０００８】
これにより、ノズルヘッド部やノズルロッド部の外周とノズルカバーとの隙間をなくし、コンパクトで清潔性の向上をはかったトイレ装置が提供できる。
【０００９】
【発明の実施の形態】
請求項１に記載の発明は、洗浄水を噴出する吐水穴を有したノズルヘッド部と、前記ノズルヘッド部への水路を構成し待機位置と使用位置間で移動可能なノズルロッド部とを有する洗浄手段を備え、前記ノズルヘッド部は、前記ノズルロッド部と接合する接合側面と前記吐水穴とを除いて外周面を第１のノズルカバーで覆い、前記ノズルロッド部およびノズルロッド部とノズルヘッド部との接合側面を第２のノズルカバーで覆ったトイレ装置とすることにより、ノズルヘッド部やノズルロッド部の外周とノズルカバーとの隙間をなくし、コンパクトで清潔性の向上をはかったトイレ装置が提供できる。
【００１０】
請求項２に記載の発明は、第１のノズルカバーと第２のノズルカバーを金属で形成してなる請求項１に記載のトイレ装置とすることにより、ノズルカバーの外表面にメッキ等の特殊コーティングを施すことができ、さらに汚物を付着しにくくすることができる。また、雑巾等で拭いても傷がつきにくいものである。
【００１１】
請求項３に記載の発明は、第１のノズルカバーと第２のノズルカバーをステンレスで形成してなる請求項２に記載のトイレ装置とすることにより、抗菌作用でさらに清潔性を向上させることができる。
【００１２】
請求項４に記載の発明は、第１のノズルカバーと第２のノズルカバーの外表面をフッ素コーティングしてなる請求項１〜３のいずれか１項に記載のトイレ装置とすることにより、さらに汚物を付着しにくくすることができる。
【００１３】
請求項５に記載の発明は、第２のノズルカバーには、ノズルロッド部とノズルヘッド部との接合側面を覆うフランジ部を設け、前記フランジ部をノズルヘッド部の接合側面と接してなる請求項１〜４のいずれか１項に記載のトイレ装置とすることにより、第１のノズルカバーと第２のノズルカバーの隙間をなくし、清潔性を向上させることができる。
【００１４】
請求項６に記載の発明は、第１のノズルカバーの開口端部を、ノズルヘッド部の接合側面側に折り返してなる請求項１〜５のいずれか１項に記載のトイレ装置とすることにより、第１のノズルカバーとノズルヘッド部の固定を確実なものとするとともに、第１のノズルカバーと第２のノズルカバーの隙間をなくし、清潔性を向上させることができる。
【００１５】
【実施例】
以下、本発明の実施例について、図面を参照しながら説明する。
【００１６】
図１に示すように、トイレ装置の本体１１は、便器１２の後部に横長に設け、用便後等に人体の局部を温水で洗う洗浄手段１３を内装している。そして、洗浄手段１３は、図２〜図４に示すように、ノズルヘッド部（後記）への水路を構成し待機位置と使用位置間で移動可能なノズルロッド部１４と、ノズルロッド部１４の先端に水密に接合され、洗浄水を噴出する吐水穴１５を有したノズルヘッド部１６と、ノズルロッド部１４を非使用時の待機位置に収納しておくノズルシリンダー１７と、収納時にノズルヘッド部１６を洗浄するためのノズル洗浄ヘッド１８を備えている。そして、ノズルヘッド部１６は、前記ノズルロッド部１４と接合する接合側面１９と前記吐水穴１５とを除いて外周面を第１のノズルカバー２０で覆い、前記ノズルロッド部１４およびノズルロッド部１６とノズルヘッド部１４との接合側面１９を第２のノズルカバー２１で覆っている。
【００１７】
第１のノズルカバー２０と第２のノズルカバー２１は、樹脂材料その他の材料でもよいが、金属、特にステンレスで形成することが好ましい。また、第１のノズルカバー２０と第２のノズルカバー２１の外表面は、フッ素コーティングしている。
【００１８】
また、第１のノズルカバー２０は、図４に示すように、その開口端部２０ａを、ノズルヘッド部１６の接合側面１９側に折り返してノズルヘッド部１６に固定している。第２のノズルカバー２１は、ノズルロッド部１４を覆う筒部２１ａとノズルヘッド部１６との接合側面１９を覆うフランジ部２１ｂを設けており、このフランジ部２１ｂはその面がノズルヘッド部１６の接合側面１９と接するように伸延している。前記構成により、第１のノズルカバー２０の開口端部２０ａで第２のノズルカバー２１のフランジ部２１ｂを押さえ込み第１、第２のノズルカバー２０、２１を一体化している。
【００１９】
また、図５に示すように、ノズルロッド部１４内には第１の水路１４ａと第２の水路１４ｂが平行に通っており、ノズルヘッド部１６内には、第１の水路１４ａと水密に結合する第３の水路１６ａと、第２の水路１４ｂと水密に結合する第４の水路１６ｂと、第３の水路１６ａと第４の水路１６ｂとが交じり合い天面が吐水穴１５に通じる円筒形状の混合室２２が設けられている。ここで、第３の水路１６ａは混合室２２の下部に通じ、第４の水路１６ｂは円筒形状の混合室２２の接線方向に通じている。これにより、吐水穴１５から洗浄水を噴出し用便後等に人体の局部を洗うことができる。
【００２０】
以上のように、本実施例におけるトイレ装置では、ノズルヘッド部１６の外周と第１のノズルカバー２０の内壁との隙間やノズルロッド部１４の外周と第２のノズルカバー２１の内壁との隙間がないので、局部洗浄時の汚物まじりの水やノズル洗浄時の水等が、その隙間に入り込むことがなく、コンパクトで清潔性を向上させることができる。
【００２１】
また、本実施例では、ノズルヘッド部１６とノズルロッド部１４の外周はフッ素コーティングを施したステンレスから成る第１のノズルカバー２０と第２のノズルカバー２１で覆うことにより、汚物が付き難くノズル洗浄ヘッド１８からのノズル洗浄の効果も上がり、局部洗浄時に汚物がノズルロッド部１４やノズルヘッド部１６に落ちた場合の清潔性をさらに向上させることができる。また、雑巾等で拭いても傷がつきにくい。
【００２２】
さらに、本実施例では、フランジ部２１ｂは接合側面１９と接しているので、第１のノズルカバー２０と第２のノズルカバー２１の隙間をなくし、清潔性を向上させることができる。
【００２３】
また、本実施例では、第１のノズルカバー２０の開口端部２０ａを内側に折り返すことにより、第１のノズルカバー２０とノズルヘッド部１６の固定を確実なものとするとともに、第１のノズルカバー２０と第２のノズルカバー２１の隙間をなくし、清潔性を向上させることができる。
【００２４】
【発明の効果】
以上のように、本発明のトイレ装置によれば、ノズルヘッド部を、ノズルロッド部と接合する接合側面と吐水穴とを除いて外周面を第１のノズルカバーで覆い、ノズルロッド部およびノズルロッド部とノズルヘッド部との接合側面を第２のノズルカバーで覆ったものであり、ノズルヘッド部やノズルロッド部の外周とノズルカバーとの隙間をなくし、コンパクトで清潔性の向上をはかったトイレ装置が提供できる。
【図面の簡単な説明】
【図１】本発明の実施例におけるトイレ装置を便器にセットした状態の斜視図
【図２】同トイレ装置のノズルヘッド部付近の概略斜視図
【図３】同トイレ装置の洗浄手段のノズル収納状態における概略斜視図
【図４】同トイレ装置の洗浄手段要部の側断面図
【図５】同トイレ装置の洗浄手段要部の平断面図
【図６】従来のトイレ装置の洗浄手段要部の斜視図
【符号の説明】
１１  本体
１２  便器
１３  洗浄手段
１４  ノズルロッド部
１５  吐水穴
１６  ノズルヘッド部
１９  接合側面
２０  第１のノズルカバー
２０ａ  開口端部
２１  第２のノズルカバー
２１ａ  筒部
２１ｂ  フランジ部
【図１】
2004316150.tif 000003
【図２】
2004316150.tif 000004
【図３】
2004316150.tif 000005
【図４】
2004316150.tif 000006
【図５】
2004316150.tif 000007
【図６】
2004316150.tif 000008